(57)【要約】      （修正有）【課題】段ボール紙から段ボール箱を製造する際の段ボール紙の無駄を最小限に抑制し、かつ、段ボール箱の座屈や箱内の被収容物の変形や傷つきを防止する。【解決手段】段ボール箱１Ａが、側壁６で囲まれた胴部７の上下に閉鎖部８を有する。段ボール箱１Ａの閉鎖部８には、対向する側壁に連接した内フラップ４が折り込まれ、折り込まれた内フラップ４同士の間に内フラップ欠如領域２ａが形成され、内フラップ４の外側に外フラップ５が重ねられる。内フラップ４は、その一部を分離させる切断線２０又はその一部を反転させる切断線と折れ線を有し、内フラップ欠如領域２ａが、内フラップ４の一部が分離した分離片及び／又は内フラップの一部が反転した反転片で補填可能である。【選択図】図１
2012206743.tif 000002
【特許請求の範囲】
【請求項１】
側壁で囲まれた胴部の上下に閉鎖部を有し、対向する側壁に連接した内フラップが閉鎖部に折り込まれ、折り込まれた内フラップ同士の間に内フラップ欠如領域が形成され、内フラップの外側に外フラップが重ねられる段ボール箱であって、
内フラップは、その一部を分離させる切断線又はその一部を反転させる切断線と折れ線を有し、
内フラップ欠如領域が、内フラップの一部が分離した分離片及び／又は内フラップの一部が反転した反転片で補填可能である段ボール箱。
【請求項２】
切断線が、内フラップと側壁との連接辺に平行な内フラップの長手方向を縦断する矩形波形に設けられ、内フラップの分離片を内フラップ欠如領域側へ無段階で移動できる請求項１記載の段ボール箱。
【請求項３】
内フラップの分離片を内フラップ欠如領域側へ複数段階で移動できるように、切断線が、内フラップの分離片と該分離片に対応する内フラップ残部とを嵌合させる屈曲部を複数有する請求項１記載の段ボール箱。
【請求項４】
内フラップに複数の切断線が設けられている請求項１〜３のいずれかに記載の段ボール箱。
【請求項５】
閉鎖部で対向する内フラップから分離した分離片同士が嵌合、掛合又は当接する請求項１又は２記載の段ボール箱。
【請求項６】
段ボール箱に複数のボトル容器が収容される場合に、各ボトル容器の天面全体が内フラップの分離片もしくは反転片、又は該分離片もしくは反転片に対応する内フラップの残部に当接する請求項１記載の段ボール箱。
【請求項７】
切断線上に指掛け穴が設けられている請求項１〜６のいずれかに記載の段ボール箱。
【請求項８】
内フラップの分離片内に指掛け穴が設けられている請求項１〜６のいずれかに記載の段ボール箱。
【発明の詳細な説明】
【技術分野】
【０００１】
本発明は、閉鎖部に内フラップを有する段ボール箱に関する。
【背景技術】
【０００２】
所謂みかん箱のタイプである、ＪＩＳ Ｚ １５０７  [０２０１]のＡ−１形の段ボール箱は、４面の側壁で囲まれた胴部の上下に閉鎖部を有し、その閉鎖部を、側壁に連接した内フラップと外フラップの折り込みにより閉じるものであり、段ボール箱を製造する際に段ボール紙の無駄が少なく、低コストで製造できることから広く利用されている。
【０００３】
しかしながら、このタイプの段ボール箱にＰＥＴボトル等のボトル容器を収容して流通させると、搬送時の振動や衝撃によりボトル容器に傷がついたり変形が生じたりする場合がある。そこで、内フラップを延設し、内フラップにボトル容器の先端部が嵌合する穴部を設け、その穴部でボトル容器の先端部を固定することが提案されている（特許文献１）。
【０００４】
また、段ボール箱を多段に積み上げたときの圧縮荷重による段ボール箱の座屈や、被包装物の箱内での移動などを防止するために、内フラップを延設して内側に折り曲げ、天面から底面までを仕切る仕切板とすることが提案されている（特許文献２）。
【先行技術文献】
【特許文献】
【０００５】
【特許文献１】実開平６−２２２１８号公報
【特許文献２】特開平７−８９５３１号公報
【発明の概要】
【発明が解決しようとする課題】
【０００６】
しかしながら、上述した従来の段ボール箱は、本来の段ボール箱に対して内フラップを延設することが必要とされるため、段ボール紙から段ボール箱を製造する際の段ボール紙の無駄が多くなる。
【０００７】
また、図９に示すＡ−１形の段ボール箱１では、天面２と底面３を形成する閉鎖部８に内フラップ４と外フラップ５を折り込んだ場合、天面２と底面３には、図１０（ａ）（ｂ）に示すように内フラップ４の先端側の辺同士の間に内フラップ４が配置されない内フラップ欠如領域２ａ、３ａが形成されるため、段ボール箱１にボトル容器Ａを詰めると、天面２の内フラップ欠如領域２ａが破線で示すように落ち込み易くなる。そして、このような段ボール箱１を多段に積み上げると、上段の段ボール箱では天面２と底面３で落ち込み量ｐが積算されて段ボール箱１の変形量が大きくなるため座屈が生じ、箱内のボトル容器Ａも変形する場合があった。
【０００８】
また、段ボール箱１を多段に積み上げた時に、段ボール自体に強度があり、段ボール箱の天面２の落ち込み量ｐが少ない場合でも、内フラップ欠如領域２ａ、３ａに配置されたボトル容器Ａには、外フラップ５との隙間があるため、上に積載した段ボールからの圧縮荷重が負荷され難く、逆に内フラップ４上に配置されたボトル容器Ａにその分の過剰な圧縮荷重がかかり、ボトル容器Ａの変形が生じ易かった。
【０００９】
ここで図１０（ｂ）に示すように、ボトル容器Ａが、内フラップ欠如領域３ａと内フラップ４とに跨って起立することにより起立状態が不安定になる場合には、内フラップ欠如領域３ａと内フラップ４の段差によりボトル容器Ａが傾き易くなるため、上述のように段ボール箱１を多段に積み上げて変形量が大きくなると、ボトル容器同士の押圧によりボトル容器が一層変形し易くなるという問題があった。
【００１０】
また、前記、内フラップ欠如領域２ａ、３ａが形成されるため、段ボール輸送時の振動等により、内フラップ欠如領域に配置されたボトル容器Ａは、内フラップによる抑えがないため容易に動きやすく、その結果、ボトル容器同士が干渉することにより、ボトルの傷つき、ラベルのスレなどが発生し易くなるという問題もあった。
【００１１】
従来、上記の様な問題には、詰め物などによる応急的な対応をしていたが、部材の準備や部材を詰めた場合の不安定化などの問題があった。そこで、段ボール紙から段ボール箱を製造する際の段ボール紙の無駄を最小限に抑制し、かつ、段ボール箱の座屈や箱内の被収容物の変形を防止することを本発明の目的とする。
【課題を解決するための手段】
【００１２】
本発明者は、内フラップの一部を分離又は反転可能とし、内フラップの一部を分離した分離片又は内フラップの一部を反転させた反転片で内フラップ欠如領域を補填すると上述の目的を達成できることを見出した。
【００１３】
即ち、本発明は、側壁で囲まれた胴部の上下に閉鎖部を有し、対向する側壁に連接した内フラップが閉鎖部に折り込まれ、折り込まれた内フラップ同士の間に内フラップ欠如領域が形成され、内フラップの外側に外フラップが重ねられる段ボール箱であって、
内フラップは、その一部を分離させる切断線又はその一部を反転させる切断線と折れ線を有し、内フラップ欠如領域が、内フラップの一部が分離した分離片及び／又は内フラップの一部が反転した反転片で補填可能である段ボール箱を提供する。
【発明の効果】
【００１４】
本発明の段ボール箱によれば、内フラップを閉鎖部に折り込んだときに閉鎖部に形成される内フラップ欠如領域を、内フラップを延設することなく、内フラップの一部の分離片及び／又は反転片で補填することが可能であるため、段ボール紙から段ボール箱を製造する際の段ボール紙の無駄を最小限に抑制し、かつ、段ボール箱を積み上げた場合の段ボール箱の座屈や箱内の被収容物の変形を防止することができる。さらに、段ボール箱内の被収容物の動きを抑制するので、段ボール箱を輸送する時に、収納物の傷つきを防止することができる。
【図面の簡単な説明】
【００１５】
【図１】図１は、一実施例の段ボール箱１Ａの斜視図である。
【図２】図２は、段ボール箱１Ａの展開図である。
【図３】図３は、段ボール箱１Ａにおいて、内フラップが折り込まれている閉鎖部の平面図（ａ）と、内フラップから分離した分離片で内フラップ欠如領域が補填されている閉鎖部の平面図（ｂ）である。
【図４】図４は、段ボール箱１Ｂにおいて、内フラップが折り込まれている閉鎖部の平面図（ａ）と、内フラップから分離した分離片で内フラップ欠如領域が補填されている閉鎖部の平面図（ｂ）である。
【図５】図５は、段ボール箱１Ｃにおいて、内フラップが折り込まれている閉鎖部の平面図（ａ）と、内フラップから分離した分離片で内フラップ欠如領域が補填されている閉鎖部の平面図（ｂ）である。
【図６】図６は、段ボール箱１Ｄにおいて、内フラップが閉鎖部に折り込まれている閉鎖部の平面図（ａ）と、内フラップから分離した分離片で内フラップ欠如領域が補填されている閉鎖部の平面図（ｂ）、（ｃ）である。
【図７】図７は、段ボール箱１Ｅにおいて、内フラップが閉鎖部に折り込まれている閉鎖部の平面図（ａ）と、内フラップから分離した分離片で内フラップ欠如領域が補填されている閉鎖部の平面図（ｂ）である。
【図８】図８は、段ボール箱１Ｆにおいて、内フラップが折り込まれている天面側の閉鎖部の平面図（ａ）、その内フラップから反転させた反転片で内フラップ欠如領域が補填されている閉鎖部の平面図（ｂ）、内フラップが閉鎖部に折り込まれている底面側の閉鎖部の平面図（ｃ）、その内フラップから分離した分離片で内フラップ欠如領域が補填されている閉鎖部の平面図（ｄ）、及びボトル容器詰め段ボール箱の断面図（ｅ）である。
【図９】図９は、Ａ−１形の段ボール箱の斜視図である。
【図１０】図１０は、ボトル容器を詰めたＡ−１形の段ボール箱の斜視図（ａ）及び断面図（ｂ）である。
【発明を実施するための形態】
【００１６】
以下、本発明を図面を参照しつつ詳細に説明する。なお、各図中、同一符号は同一又は同等の構成要素を表している。
【００１７】
図１は、本発明の一実施例の段ボール箱１Ａの斜視図であり、図２はその展開図である。図示したように、この段ボール箱１Ａは外形がＡ−１形であり、４つの側壁６で囲まれた胴部７の上下に閉鎖部８を有する。閉鎖部８では、４つの側壁６のうち対向する正面側壁６ａに連接した一対の外フラップ５と、対向する側面側壁６ｂに連接した一対の内フラップ４が折り込まれる。内フラップ４の長さＬ4と外フラップ５の長さＬ5（即ち、各フラップ４，５の側壁６側の辺とそれに対向する先端側の辺との距離）は等しく、双方とも側面側壁６ｂの幅Ｗの１／２となっており、これにより段ボール紙から段ボール箱１Ａを製造する際の段ボール紙の無駄を最小限にしている。
【００１８】
また、内フラップ４には波形の切断線２０が、内フラップ４の長手方向（即ち、内フラップ４と側面側壁６ｂとの連接辺に平行な方向）を縦断するように設けられている。切断線２０は、先端側の内フラップ４を手で容易に切り離し、分離片４Ｂとそれに対応する内フラップ残部４Ａに分離できるようにするもので、ミシン目、切れ目などから形成される。
【００１９】
切断線２０を波形にする場合に、その波形形状としては、矩形波形、矩形波形の角を丸めたもの、サインカーブ等とすることができるが、波形の切断線２０により分離される分離片４Ｂと内フラップ残部４Ａとが、嵌合した状態から完全に離れた状態まで、それらの嵌合を部分的に維持しつつ位置をずらせるものが好ましい。そのため、図示したような矩形波形やその角を丸めたもののように、内フラップ４と側面側壁６ｂとの連接辺に垂直な部分を有する波形形状が好ましい。
【００２０】
この段ボール箱１Ａは次のように使用される。まず、展開状態のブランク（図２）から常法により継ぎしろ９で正面側壁６ａと側面側壁６ｂを繋げる。内フラップ４を閉鎖部８に折り込むと、図３（ａ）に示す閉鎖部８のように、天面の閉鎖部８には内フラップ４（ドットの塗り潰し部分）が配置されない内フラップ欠如領域２ａが形成され、底面の閉鎖部８にも内フラップ欠如領域３ａが形成される。そのため、例えば、段ボール箱１Ａにボトル容器Ａを収容し、そのボトル容器Ａが天面と底面の内フラップ欠如領域２ａ、３ａ間に起立する場合や、ボトル容器Ａが内フラップ欠如領域３ａと内フラップ４に跨って起立することにより、ボトル容器Ａの起立状態が不安定になる場合には、前述のように段ボール箱の落ち込みやボトル容器の変形や傷つきが問題となる（図１０参照）。
【００２１】
そこで、この実施例の段ボール箱１Ａでは、内フラップ４を切断線２０で切り離し、切り離した分離片４Ｂを、図３（ｂ）に示すように内フラップ欠如領域２ａ、３ａ側に移動させて内フラップ欠如領域２ａ、３ａを補填する。これにより、分離片４Ｂによる補填が無い状態では内フラップ欠如領域２ａ、３ａに起立することになるボトル容器Ａの頂部と底部が分離片４Ｂで押さえられるので、ボトル容器Ａは起立状態の安定性が改善し、内フラップ欠如領域２ａ、３ａにおける段ボール箱の落ち込みも解消することができる。
【００２２】
なお、この段ボール箱１Ａにおいて分離片４Ｂを内フラップ欠如領域２ａ、３ａ側へ移動させる量は、切断線２０が矩形波形であることにより、段ボール箱１Ａ内に収容する物の大きさや形状に応じて、無段階に調整することができる。
【００２３】
また、分離片４Ｂで内フラップ欠如領域２ａ、３ａを補填した状態で、内フラップ欠如領域２ａ、３ａが分離片４Ｂで完全に塞がれるようにすることは不要であるが、箱内の全てのボトル容器Ａの頂部と底部が、分離片４Ｂと、その分離片４Ｂに対応する内フラップ残部４Ａとで押さえられるようにすることが好ましい。
【００２４】
段ボール箱１Ａの閉鎖部８を閉じる際には、上述のように内フラップ４の分離片４Ｂで内フラップ欠如領域２ａ、３ａを補填した後、外フラップ５で閉鎖部８を閉じるので、分離片４Ｂと、その分離片４Ｂに対応する内フラップ残部４Ａは、外フラップ５で段ボール箱１Ａの内側に押さえ付けられることになる。そのため、分離片４Ｂで内フラップ欠如領域２ａ、３ａを補填した状態で、分離片４Ｂが内フラップ残部４Ａから完全に離れていてもよいが、双方に係合部分２１が形成されるようにすると、閉鎖部８における分離片４Ｂの位置が安定するので好ましい。
【００２５】
本発明において、分離片の種々の態様をとることができる。例えば、図４（ａ）に示す段ボール箱１Ｂの閉鎖部８のように、切断線２０に、分離片４Ｂと内フラップ残部４Ａが互いに嵌合する屈曲部２２を、分離片４Ｂの移動方向に２段で形成し、同図（ｂ）に示すように、分離片４Ｂを内フラップ欠如領域２ａ、３ａ側へ移動させて内フラップ欠如領域２ａ、３ａを補填した状態で、分離片４Ｂと内フラップ残部４Ａとを嵌合させてもよい。これにより、内フラップ欠如領域２ａ、３ａを補填する分離片４Ｂの配置を安定化することができる。
【００２６】
このような屈曲部２２は、図示したように２段に限られず、分離片４Ｂを、その移動方向へ複数段階で移動できるように繰り返し設けることができる。このように、屈曲部２２を、複数内フラップの延長方向に繰り返し設けることで、内容物に応じた適切な位置に分離片４Ｂを設けることができる。
【００２７】
また、同図（ａ）に示すように、切断線２０上に指掛け穴２３を設けてもよい。指掛け穴２３に指をさして分離片４Ｂを内フラップ４から切り離すことができるので、指掛け穴２３により、内フラップ４からの分離片４Ｂの分離が容易となる。
【００２８】
図５（ａ）、（ｂ）に示す段ボール箱１Ｃの閉鎖部８のように、指掛け穴２３を分離片４Ｂ内に形成してもよい。また、分離片４Ｂで内プラップ欠如領域２ａ、３ａを補填した状態で、分離片４Ｂと内フラップ残部４Ａとが嵌合し、かつその嵌合状態で対向する一対の分離片４Ｂ同士が当接するように、切断線２０の屈曲部２２を形成してもよい。これにより、内プラップ欠如領域２ａ、３ａを補填する分離片４Ｂの配置を、より安定化することができる。
【００２９】
図６（ａ）に示す段ボール箱１Ｄの閉鎖部８のように、一つの内フラップ４あたりに２本の切断線２０1、２０2を形成してもよい。これにより、同図（ｂ）に示すように、そのうちの一方の切断線２０1で分離片４Ｂ1、４Ｂ2を内フラップ残部４Ａと分離して内フラップ欠如領域２ａ、３ａ側へ移動させ、さらに同図（ｃ）に示すように、他の切断線２０2で分離片４Ｂ2を分離してそれを内フラップ欠如領域２ａ、３ａ側へ移動させることができる。したがって、最初の切断線２０1による分離片４Ｂ1、４Ｂ2だけでは内フラップ欠如領域３ａ、３ｂの補填でボトル容器Ａの頂部と底部を十分に押さえられない場合でも、さらに切断線２０2による分離片４Ｂ2で補填することにより、全てのボトル容器Ａの頂部と底部を内フラップ残部４Ａと分離片４Ｂ1と分離片４Ｂ2で押さえることが可能となる。このように、本発明において、切断線は複数形成することができる。
【００３０】
図７（ａ）（ｂ）に示す段ボール箱１Ｅの閉鎖部８のように、対向する内フラップ４から分離片４Ｂ3、４Ｂ4を分離し、それらを反転させることにより、分離片４Ｂ3、４Ｂ4同士が嵌合するように切断線２０を形成してもよい。このように分離片４Ｂ3、４Ｂ4同士を嵌合させることにより、内フラップ欠如領域２ａ、３ａを補填する分離片４Ｂ3、４Ｂ4の配置を安定化することができる。なお、分離片４Ｂ3、４Ｂ4の配置を安定化するためには、分離片４Ｂ3、４Ｂ4の端部同士がゆるく嵌り合う掛合状態をとるようにしてもよい。
【００３１】
図８（ａ）に示す段ボール箱１Ｆの閉鎖部８のように、内フラップ４に、その一部の反転を可能とする切断線２４と折れ線２５を形成してもよい。この場合、切断線２４は切れ目から形成し、折れ線２５は、ミシン目、ハーフカット、罫線等から形成することが好ましい。
【００３２】
これにより、同図（ｂ）に示すように、切断線２４と折れ線２５で囲まれた部分を反転させて反転片４Ｃとし、反転片４Ｃで内フラップ欠如領域２ａ、３ａを補填することができる。なお、反転片４Ｃでは内フラップ欠如領域２ａ、３ａの広範囲を連続的に塞ぐことはできないが、例えば、頂部径が底部径に比して小さいボトル容器Ａの頂部全体が反転片４Ｃで押さえられるようにすることが好ましい。
【００３３】
また、本発明において、内フラップ４に形成する切断線２０、又は切断線２４と折れ線２５は、段ボール箱の天面２側と底面３側とで同一でもよく、異なっていてもよい。段ボール箱内の被収容物の形状や大きさに応じて適宜定める。例えば、段ボール箱内に頂部径が底部径に比して小さいボトル容器Ａを収容する場合に、天面２側の内フラップ４に、図８（ａ）に示す切断線２４と折れ線２５を形成し、底面３側の内フラップ４に、図８（ｃ）、（ｄ）に示す、矩形波形の切断線２０を形成することができる。これにより図８（ｅ）に示すように、ボトル容器Ａの頂部を反転片４Ｃとそれに対応する内フラップ残部４Ａで押さえ、ボトル容器Ａの底部を分離片４Ｂとそれに対応する内フラップ残部４Ａで押さえることが可能となる。
【００３４】
また、本発明では、分離片に切断線と折れ線を設けることにより反転片が分離片に形成されるようにしてもよい。この他、本発明の段ボール箱は、上述した種々の態様を適宜組み合わせることができる。
【００３５】
なお、本発明において、段ボール箱を形成する段ボール紙自体には特に制限はなく、表ライナーと裏ライナーの間に中芯を有する公知の段ボール紙を使用することができる。
【００３６】
段ボール箱の大きさは、内容物の大きさなどに応じて適宜定めることができ、例えば、図７の段ボール箱１Ｅにおいて、長径１００mm、短径５６mm、高さ１７０mmの楕円柱形状のボトル容器を２行×５列で合計１０本収容する場合、段ボールの大きさとしては、クリアランスをとって内寸法２８３×２０２×１７０mm、段ボールの厚みとして３〜８mmとすることができる。
【符号の説明】
【００３７】
１、１Ａ、１Ｂ、１Ｃ、１Ｄ、１Ｅ、１Ｆ    段ボール箱
２    天面
２ａ  天面における内フラップ欠如領域
３    底面
３ａ  底面における内フラップ欠如領域
４    内フラップ
４Ａ  内フラップ残部
４Ｂ、４Ｂ1、４Ｂ2、４Ｂ3、４Ｂ4  分離片
４Ｃ  反転片
５    外フラップ
６    側壁
６ａ  正面側壁
６ｂ  側面側壁
７    胴部
８    閉鎖部
９    継ぎしろ
２０、２０1、２０2    切断線
２１    係合部分
２２    屈曲部
２３    指掛け穴
２４    切断線
２５    折れ線
Ａ    ボトル容器
Ｌ4   内フラップの長さ
Ｌ5   外フラップの長さ
ｐ    落ち込み量
【図１】
2012206743.tif 000003
【図２】
2012206743.tif 000004
【図３】
2012206743.tif 000005
【図４】
2012206743.tif 000006
【図５】
2012206743.tif 000007
【図６】
2012206743.tif 000008
【図７】
2012206743.tif 000009
【図８】
2012206743.tif 000010
【図９】
2012206743.tif 000011
【図１０】
2012206743.tif 000012